(57)【要約】【課題】必要時に限って通信機と補聴器との間で通信を確立して、通信機で受信した電話の音声信号を補聴器に伝送することにより、補聴器の電池の消耗を大幅に軽減する。【解決手段】補聴器本体１に、超音波マイクロフォン１６と、超音波音信号を検知する超音波検知部１７と、外部の通信機１３と通信を行なう通信モジュール１４と、制御部９を設ける。必要時には、通信機１３のスピーカー２４から補聴器本体１へ超音波を放射して、超音波検知部１７の検知信号に基づき、制御部９がスリープ状態にあった通信モジュール１４を作動させて、通信機１３と通信モジュール１４との間の通信を確立する。この状態で、通信機１３が受信した電話の音声信号を、通信機１３から通信モジュール１４へ伝送して増幅部３で増幅し、イヤフォン４で再生する。通信終了時には、終了信号に基づき制御部９が通信モジュール１４をスリープ状態に戻して電池５の消耗を防ぐ。【選択図】図１
2015144337.tif 000002
【特許請求の範囲】
【請求項１】
補聴器本体（１）に、音声および超音波を音信号に変換するマイクロフォン（２・１６）と、前記マイクロフォン（２・１６）で変換された超音波音信号を検知する超音波検知部（１７）と、外部の通信機（１３）と通信を行なう通信モジュール（１４）と、電源用の電池（５）と、制御部（９）とが設けられており、
補聴器本体（１）の通信モジュール（１４）と通信機（１３）との間で無線通信を確立した状態において、通信機（１３）から送信されて通信モジュール（１４）が受信した情報信号に従って、制御部（９）が補聴器を構成する作動機器の作動状態を制御できるように構成してある補聴器であって、
通信機（１３）のスピーカー（２４）から補聴器本体（１）へ超音波を放射して、超音波検知部（１７）が超音波音信号を検知した状態において、超音波検知部（１７）の検知信号に基づき、制御部（９）がスリープ状態にあった通信モジュール（１４）を作動させて、通信機（１３）と通信モジュール（１４）との間の通信を確立することができることを特徴とする補聴器。
【請求項２】
補聴器本体（１）にマイクロフォン（２）で変換された音声の音信号を増幅する増幅部（３）と、増幅された音信号を再生するイヤフォン（４）とが設けられており、
補聴器本体（１）の通信モジュール（１４）と通信機（１３）との間で無線通信を確立した状態において、通信機（１３）が受信した電話の音声信号を、通信機（１３）から通信モジュール（１４）へ伝送して増幅部（３）で増幅し、イヤフォン（４）で再生する請求項１に記載の補聴器。
【請求項３】
補聴器本体（１）に、増幅部（３）の信号増幅度を調整するボリューム部（１９）と、電池（５）の給電状態をオン・オフする電源スイッチ部（１８）とが設けられており、
予め通信機（１３）に格納しておいた補聴器管理プログラムを起動し、補聴器本体（１）の通信モジュール（１４）と通信機（１３）との間で無線通信を確立した状態において、通信機（１３）から通信モジュール（１４）へ送信された補聴器管理プログラムに基づく要求指令に従って、制御部（９）でボリューム部（１９）と電源スイッチ部（１８）の作動状態を制御することができる請求項２に記載の補聴器。
【請求項４】
補聴器と通信機（１３）とがＮＦＣ方式の通信方式で無線通信を確立している請求項１から３のいずれかひとつに記載の補聴器。
【請求項５】
補聴器と通信機（１３）とがＩＥＥＥ  ８０２規格の通信方式で無線通信を確立している請求項１から３のいずれかひとつに記載の補聴器。
【発明の詳細な説明】
【技術分野】
【０００１】
本発明は補聴器に関し、携帯電話機やスマートフォンに代表される通信機で受信した音声信号を補聴器へ伝送して、補聴器のスピーカーで再生でき、あるいは、必要に応じて補聴器の作動状態などを通信機の側で制御できるようにした補聴器に関する。
【背景技術】
【０００２】
補聴器における電池交換の手間とコストを省くために、駆動電源として２次電池を使用し、さらに、２次電池を非接触で充電することが特許文献１に公知である。そこでは、バッテリーケースの内部にコイン型の２次電池と、充電回路を構成する回路基板と、受電コイル（２次コイル）などを収容して電源ユニットを構成している。電源ユニットは、補聴器本体に設けた円形の凹部に収容してあり、補聴器本体に装着した状態のままで２次電池を充電装置で非接触充電することができる。
【０００３】
本発明においては、スマートフォンなどの通信端末と補聴器との間で通信を確立して、スマートフォンで受信した音声信号を補聴器へ伝送し、補聴器の増幅部を介してイヤフォン（スピーカー）で音声に再生するが、このようにスマートフォンなどの通信機で受信した声信号を補聴器へ伝送することは、特許文献２に公知である。そこでは、携帯型電話機に信号中継用の補助装置をモジュラージャックを介して接続し、携帯型電話機で受信した音声信号をモジュラージャックを介して補助装置へ伝送し、さらに補助装置から補聴器へ音声信号を無線により伝送している。
【先行技術文献】
【特許文献】
【０００４】
【特許文献１】特開２０１２−１９１４４８号公報（段落番号００５５、図６）
【特許文献２】特開平１０−２８５６９６号公報（段落番号００７４〜００７７、図２）
【発明の概要】
【発明が解決しようとする課題】
【０００５】
特許文献２の補聴装置によれば、携帯型電話機で受信した音声信号を補助装置で補聴器へ伝送して、補聴器のイヤフォンで音声に再生するので、携帯型電話機で再生された音声を補聴器のマイクロフォンで取込んでイヤフォンで再生する場合に比べて、音声をよりクリアにできる利点がある。しかし、補助装置を常に携帯型電話機に接続しておく必要があるため、かさばりやすく携行しにくい不便がある。また、携帯型電話機にかかってきた電話を常に確実に受信するには、補聴器に設けた通信モジュールを作動させて、補助装置と補聴器との間の無線通信を確立し続ける必要がある。そのため、補聴器における電池の消耗が激しく、携帯型電話機を利用した電話通信を長時間にわたって連続して行なうことはできない。とくに、現状における２次電池のエネルギー密度は、補聴器用の電源として多用されている空気亜鉛電池のエネルギー密度に比べて低いため、頻繁に充電を行なう必要があり、この点でも実用性に欠ける。
【０００６】
例えば、補聴器に通信モジュール用の起動スイッチを設けておき、携帯型電話機に電話が掛かってきた場合に限って、起動スイッチをオン操作して通信モジュールを作動させ、補助装置と補聴器との間の無線通信を確立すると、補聴器の電池の消耗をある程度は減少することができる。しかし、先のスイッチを切換えるには補聴器を耳から外し、スイッチを切換えたのち再び耳に装着しなければならないため、一連の操作に手間が掛かるうえ、ユーザーが高齢者や子供である場合に適切に対応しにくい。
【０００７】
本発明の目的は、通信機から発せられた起動用の信号を補聴器に設けたマイクロフォンで取込んで補聴器の通信モジュールを起動し、必要時に限って通信機と補聴器との間で通信を確立することにより、電源用電池の消耗を大幅に軽減できる補聴器を提供することにある。
本発明の目的は、通信機と補聴器との間で通信を行なうことにより、通信機で受信した電話の音声信号を補聴器に伝送してイヤフォンで再生でき、あるいは補聴器の電源のオン・オフや、音声信号の増幅度の調整などの制御を、通信機の側で管理し調整できる補聴器を提供することにある。
【課題を解決するための手段】
【０００８】
本発明に係る補聴器は、図１および図２に示すように、補聴器本体１に、音声および超音波を音信号に変換するマイクロフォン２・１６と、前記マイクロフォン２・１６で変換された超音波音信号を検知する超音波検知部１７と、外部の通信機１３と通信を行なう通信モジュール１４と、電源用の電池５と、制御部９とが設けてある。補聴器本体１の通信モジュール１４と通信機１３との間で無線通信を確立した状態において、通信機１３から送信されて通信モジュール１４が受信した情報信号に従って、制御部９が補聴器を構成する作動機器の作動状態を制御できるように構成する。補聴器本体１の通信モジュール１４と通信機１３との間で無線通信を確立する場合には、通信機１３のスピーカー２４から補聴器本体１へ超音波を放射して、超音波検知部１７が超音波音信号を検知した状態において、超音波検知部１７の検知信号に基づき、制御部９がスリープ状態にあった通信モジュール１４を作動させて、通信機１３と通信モジュール１４との間の通信を確立する。
【０００９】
補聴器本体１にマイクロフォン２で変換された音波の音信号を増幅する増幅部３と、増幅された音信号を再生するイヤフォン４とを設ける。補聴器本体１の通信モジュール１４と通信機１３との間で無線通信を確立した状態において、通信機１３が受信した電話の音声信号を、通信機１３から通信モジュール１４へ伝送して増幅部３で増幅し、イヤフォン４で再生する。
【００１０】
補聴器本体１に、増幅部３の信号増幅度を調整するボリューム部１９と、電池５の給電状態をオン・オフする電源スイッチ部１８とを設ける。予め通信機１３に格納しておいた補聴器管理プログラムを起動し、補聴器本体１の通信モジュール１４と通信機１３との間で無線通信を確立した状態において、通信機１３から通信モジュール１４へ送信された補聴器管理プログラムに基づく要求指令に従って、制御部９でボリューム部１９と電源スイッチ部１８の作動状態を制御する。
【００１１】
補聴器と通信機１３とはＮＦＣ方式の通信方式で無線通信を確立する。
【００１２】
補聴器と通信機１３とはＩＥＥＥ  ８０２規格の通信方式で無線通信を確立する。
【発明の効果】
【００１３】
本発明に係る補聴器は、補聴器本体１にマイクロフォン２・１６と、超音波音信号を検知する超音波検知部１７と、外部の通信機１３と通信を行なう通信モジュール１４と、制御部９を設けるようにした。また、補聴器本体１の通信モジュール１４と通信機１３との間で無線通信を確立した状態において、通信モジュール１４が通信機１３から受信した情報信号に従って、制御部９が補聴器を構成する作動機器の作動状態を制御できるようにした。本発明では、上記のような補聴器において、通信機１３のスピーカー２４から補聴器本体１へ超音波を放射して、超音波検知部１７の検知信号に基づき制御部９がスリープ状態にあった通信モジュール１４を作動させて、通信機１３と通信モジュール１４との間の通信を確立できるようにした。
【００１４】
上記のように、本発明に係る補聴器においては、必要時に限って補聴器側の通信モジュール１４を作動させるので、補助装置と補聴器との間の無線通信を確立し続ける必要があった従来の通信形態に比べて、電源用の電池５の消耗を大幅に削減でき、電池５の交換間隔や充電間隔を大きくすることができる。また、人の可聴域を超えた超音波を通信機１３から補聴器に放射して、放射された超音波をトリガーにして通信モジュール１４を作動させるので、人ごみの中であっても周囲の人に迷惑を掛けることもなく通信機１３を使用して補聴器の作動状態を制御できる。さらに、通信機１３と通信モジュール１４との間で、直接的に通信を確立するので、補助装置を常に携帯型電話機に接続しておく必要があった従来の通信形態に比べて、通信機１３がかさばるのを解消して携行の便を向上できる。
【００１５】
通信モジュール１４と通信機１３との間で無線通信を確立した状態において、通信機１３が受信した電話の音声信号を、通信機１３から通信モジュール１４へ伝送して増幅部３で増幅しイヤフォン４で再生すると、イヤフォン４から送出される音声をよりクリアにすることができる。従って、通信機１３を経由した電話のやり取りであるにも拘らず、明瞭で雑音の少ない会話を行うことができる。
【００１６】
通信モジュール１４と通信機１３との間の無線通信を確立した状態において、通信機１３から通信モジュール１４へ送信された要求指令に従って、制御部９でボリューム部１９と電源スイッチ部１８の作動状態を制御すると、通信機１３の側で補聴器の作動状態を管理し調整することができる。例えば、制御部９でボリューム部１９の作動状態を制御することにより、増幅部３の増幅度合やイヤフォン４の音量の調整などを、通信機１３の側で管理し調整できる。同様に、制御部９で電源スイッチ部１８の作動状態を制御することにより電源のオン・オフを、通信機１３の側で管理し調整できる。従って、ユーザーは耳から取外す必要もなく、補聴器の作動状態を通信機１３の側で調整し管理することができるので、補聴器の使い勝手を向上することができる。
【００１７】
補聴器と通信機１３がＮＦＣ方式の簡易的な通信方式を介して相互通信を行なう形態によれば、通信モジュール１４の構造を簡素化して補聴器が大形化するのを回避しながら、近接場通信を確立することができる。
【００１８】
補聴器と通信機１３とがＩＥＥＥ  ８０２規格の通信方式で相互通信を行なう形態によれば、ＮＦＣ方式の通信形態に比べてより大量のデータを相互に伝送して、補聴器の管理および調整や、電池５の電池状態の管理をさらに綿密に行うことができる。さらに、通信機１３にダウンロードしておいた音楽データを補聴器へ送信してイヤフォン４で聴取し、あるいは、通信機１３で受信したテレビの映像をディスプレイ２２で表示しながら、テレビの音声データを補聴器へ送信してイヤフォン４で聴取するなど、オーディオソースを補聴器で再生することが可能となる。
【図面の簡単な説明】
【００１９】
【図１】本発明の実施例に係る補聴器の概略説明図である。
【図２】本発明の実施例に係る補聴器の概略構造を示すブロック図である。
【図３】本発明の実施例に係る補聴器の処理手順を示すフローチャートである。
【発明を実施するための形態】
【００２０】
（実施例）  図１ないし図３は、本発明を耳掛け型の補聴器に適用した実施例を示す。図１において、補聴器は補聴器本体１の内部に、音声用のマイクロフォン２と、マイクロフォン２で取込まれた音信号を増幅する増幅部３と、増幅部３で増幅された音信号を音声に再生するイヤフォン（スピーカー）４と、これらの機器の駆動電源となる２次電池（電池）５と、２次電池５の給電状態をオン・オフするメインスイッチ６などを組込んで構成してある。スピーカー４で再生された音声は軟質のチューブ７で案内され、チューブ７の先端に設けたイヤモールド８から外耳へ送出される。補聴器本体１の内部には、上記の増幅部３やノイズ除去回路あるいは制御部９が実装された基板が設けてあり、さらに、イヤフォン４で再生された音声の音量を調整するボリュームユニット１０などが設けてある。制御部９は、増幅部３の増幅度を調整し、イヤフォン４の音量を調整し、後述する通信モジュール１４の作動状態を制御するなど、補聴器を構成する各作動機器の作動状態を制御する。
【００２１】
図２に示すように、補聴器本体１には、上記の補聴用の各機器以外に、外部のスマートフォン（通信機）１３と通信を行なうための通信モジュール１４およびアンテナ１５と、超音波を取込むための超音波マイクロフォン（マイクロフォン）１６と、超音波マイクロフォン１６で変換された超音波の音信号を検知する超音波検知部１７などが設けてある。また、メインスイッチ６およびボリュームユニット１０とは別に、２次電池５の給電状態を電子的にオン・オフする電源スイッチ部１８と、増幅部３の信号増幅度を電子的に調整するボリューム部１９が設けてある。通信モジュール１４と、電源スイッチ部１８と、ボリューム部１９などは、先の各機器や制御部９とともに先の基板に実装してある。
【００２２】
図１において、スマートフォン１３は市販品であり、その表面側にディスプレイ２２が設けてあり、本体内部に電話通信網の基地局と通信を行なうメインアンテナ（図示していない）と、補聴器と近距離場通信を行なうためのアンテナ２３と、スピーカー２４と、送話用のマイクロフォン２５などが設けてある。スマートフォン１３には補聴器管理プログラムが予めダウンロードされて格納してある。この補聴器管理プログラムは、スマートフォン１３に電話が掛かってきた場合に自動的に起動してディスプレイ２２に動作メニューを表示でき、あるいは、必要に応じてユーザーがディスプレイ２２のプログラムメニューを選択して起動することができる。
【００２３】
補聴器を使用する場合には、図１に示すように、補聴器本体１を耳裏に掛止め、イヤモールド８を外耳に差し込み、メインスイッチ６をオン操作して補聴器を起動する。補聴器を使用している状態において、予め補聴器とペアリングされたスマートフォン１３に電話が掛かってきた場合には、先に説明したように、補聴器管理プログラムが自動的に起動してディスプレイ２２に動作メニューを表示し、内部の起振構造を作動させてスマートフォン１３の全体を振動させる。ユーザーは、先の着信状態で受信通話メニューを選択して、スマートフォン１３を使用中の補聴器本体１の近傍にかざすことにより、スピーカー２４から補聴器本体１へ向かって超音波が放射されて、スマートフォン１３と補聴器との間で、Ｎｅａｒ  Ｆｉｅｌｄ  Ｃｏｍｍｕｎｉｃａｔｉｏｎ（以下、単にＮＦＣと言う。）方式の近距離場通信を確立することができる。なお、近距離場通信を確立する場合には、必ずしもスマートフォン１３を使用中の補聴器本体１の近傍にかざす必要はなく、例えば、補聴器本体１を耳裏に装着し、スマートフォン１３を机やテーブルに載置した状態のままで受信通話メニューを選択することにより、近距離場通信を確立することができる。
【００２４】
詳しくは、スピーカー２４から超音波を補聴器本体１へ向かって放射すると、放射された超音波が超音波マイクロフォン１６で取込まれて超音波音信号に変換される。さらに図３に示すように、変換された超音波音信号は超音波検知部１７によって検知され（Ｓ１）、超音波検知部１７から制御部９へ出力される検知信号（開始信号）に基づき、制御部９がスリープ状態にあった通信モジュール１４を作動させて（Ｓ２）、スマートフォン１３のアンテナ２３と、通信モジュール１４のアンテナ１５との間でＮＦＣ方式の無線通信を確立する（Ｓ３）。
【００２５】
上記のように、補聴器本体１の通信モジュール１４とスマートフォン１３との間で無線通信が確立されて、通信モジュール１４の受信準備が整った状態で、補聴器管理プログラムはスマートフォン１３が受信した電話の音声信号を、スマートフォン１３から通信モジュール１４へ送信する（Ｓ４）。これにより、受信した音声信号が通信モジュール１４から増幅部３へ出力され、増幅部３で増幅したのちイヤフォン４で再生される。従って、スマートフォン１３のスピーカー２４で再生された音声をマイクロフォン２で取込んで音声信号に変換する場合に比べて、イヤフォン４から送出される音声をよりクリアにすることができる。送話音声は、スマートフォン１３のマイクロフォン２５を介して取込まれて、電話通信網へ伝送される。通話を開始したのちの、制御部９は補聴器管理プログラムから終了信号が発せられたか否かを検知して、終了信号が検知されない場合（Ｓ５）には、電話の音声信号を通信モジュール１４へ送信できる状態を維持する。
【００２６】
通話が終了したら、ディスプレイ２２に表示されている動作メニューから終了メニューを選択することにより、スマートフォン１３から通信モジュール１４へ終了信号が送信される。この終了信号は通信モジュール１４を介して制御部９へ出力されるので、制御部９は終了信号に従って、通信モジュール１４のスマートフォン１３との無線通信を遮断し（Ｓ６）、さらに通信モジュール１４の作動を終了させてスリープ状態に戻す（Ｓ７）。同時に、補聴器管理プログラムが終了してディスプレイ２２を初期状態に戻す。必要があれば、通話終了と同時にスマートフォン１３と補聴器の間の無線通信を遮断してもよい。
【００２７】
上記のように、スマートフォン１３に電話が掛かってきた場合に限って通信モジュール１４を作動させ、通話が終了した時点で通信モジュール１４をスリープ状態に戻すと、通信モジュール１４による２次電池５の電力の消費を大幅に節約できる。従って、補助装置と補聴器との間の無線通信を確立し続ける必要があった従来の通信形態に比べて、２次電池５の消耗を大幅に軽減して充電間隔を拡大できる。また、人の可聴域を超えた超音波をスマートフォン１３から補聴器に放射して、放射された超音波をトリガーにして通信モジュール１４を作動させるので、人ごみの中であっても周囲の人に迷惑を掛けることもなくスマートフォン１３を使用し、補聴器の作動状態を制御することができる。
【００２８】
通話を開始したのち、イヤフォン４で再生された音声の音圧レベルを調整したい場合には、ディスプレイ２２に表示されている動作メニューからボリューム調整メニューを選択して、ディスプレイ２２に調整ボリュームを表示させる。ユーザーは、表示された調整ボリュームの増減ボタンを指先でタッチすることにより、音圧レベルを増加し、あるいは音圧レベルを減少するための要求指令が、スマートフォン１３から通信モジュール１４へと送信される。通信モジュール１４が受信した要求指令信号は制御部９へ出力されるので、制御部９は要求指令信号に従ってボリューム部１９を調整して、イヤフォン４における音声の音圧レベルをユーザーの好みに合わせることができる。
【００２９】
例えば、２次電池５の電力状態を知りたい場合には、ユーザーがディスプレイ２２のプログラムメニューから補聴器管理プログラムを起動して、ディスプレイ２２に動作メニューを表示する。この状態で電池確認メニューを選択して、スマートフォン１３を使用中の補聴器本体１の近傍にかざすことにより、スピーカー２４から補聴器本体１へ向かって超音波が放射され、先と同様にして制御部９がスリープ状態にあった通信モジュール１４を作動させて、スマートフォン１３と補聴器との間でＮＦＣ方式の近距離場通信を確立する。
【００３０】
上記の状態で、ディスプレイ２２に表示された電力確認ボタンや、残り使用時間ボタンなどを、ユーザーが選択し指先でタッチすることにより、２次電池５の電圧データや、残り使用時間を知るための電力データを要求する指令が、スマートフォン１３から通信モジュール１４へと送信される。通信モジュール１４が受信した要求指令信号は制御部９へ出力されるので、制御部９は要求指令信号に従って必要な電力データを取込んだのち、通信モジュール１４とアンテナ１５を介して先の電圧データや電力データをスマートフォン１３へ送信する。電力データ等を受信したスマートフォン１３の補聴器管理プログラムは、必要に応じて電力データ等を加工して、ユーザーが見やすい状態でディスプレイ２２に表示する。補聴器管理プログラムの終了は、先に説明した要領で行う。なお、電力確認の結果、残り使用時間が予め設定してある所定の時間より少ない場合には、ディスプレイ２２に警告表示を表示し、スピーカー２４から警告音声を発して、すぐにでも充電処理を行なう必要があることをユーザーに報知する。以上のように、通話機能を備えているスマートフォン１３や携帯電話などの通信機の場合には、通信機を補聴器（耳）の近傍にかざすという自然な受話動作を行うことで、スマートフォン１３と補聴器との間の通信を確立し、あるいは通信を終了させることができるので、第３者からみて違和感のない状態で通信の確立と終了を行なえる。同様に、通話開始時や通話終了時の２次電池５の電池状態の把握も、自然な受話動作で行うことができる。
【００３１】
就寝時や起床時には、スマートフォン１３の側から２次電池５の給電状態を切換えて、補聴器の作動を停止させ、あるいは補聴器を起動させることができる。例えば、就寝時に補聴器の作動を停止させる場合には、先と同様にして、スマートフォン１３と補聴器との間でＮＦＣ方式の近距離場通信を確立したのち、補聴器管理プログラムの動作メニューに含まれている電源メニューをディスプレイ２２に表示させて、そのオフボタンを指先でタッチする。これにより、スマートフォン１３から通信モジュール１４へ終了信号が送信されるので、制御部９は電源スイッチ部１８を切換えて、２次電池５の給電状態を強制的に停止させる。以上のように、スマートフォン１３を経由して補聴器の作動状態を制御するのは、補聴器本体１にメインスイッチ６が設けてない場合や、メインスイッチ６の切換え操作が煩わしい場合に有効である。しかし、ユーザーによる補聴器の使用形態によっては、メインスイッチ６を切換えて補聴器の作動を停止あるいは起動させてもよい。
【００３２】
また、起床時に補聴器を起動させる場合には、スマートフォン１３と補聴器との間でＮＦＣ方式の近距離場通信を確立したのち、補聴器管理プログラムの動作メニューに含まれている電源メニューをディスプレイ２２に表示させて、そのオンボタンを指先でタッチする。これにより、スマートフォン１３から通信モジュール１４へ起動信号が送信されるので、制御部９で電源スイッチ部１８を切換えて、２次電池５の給電路を給電状態に切換えることができる。なお、この場合には、少なくとも制御部９と電源スイッチ部１８と通信モジュール１４に対して、それぞれが作動可能な最低電力を２次電池５から供給し続ける必要がある。
【００３３】
上記の実施例では、スマートフォン１３と補聴器との間でＮＦＣ方式の無線通信を確立したが、その必要はなく、ＮＦＣ方式以外にＩＥＥＥ  ８０２．１５．１規格に係るブルートゥース（ＢＬＵＥＴＯＯＴＨ：登録商標）や、ＩＥＥＥ  ８０２．１１規格に係るＷｉ−Ｆｉや、ＩＥＥＥ  ８０２．１５．４規格に係るＺｉｇＢｅｅ（ＺＩＧＢＥＥ：登録商標）などの無線通信を確立して、スマートフォン１３が受信した通話データを補聴器に伝送することができる。その場合の通信モジュール１４およびアンテナ１５は、ブルートゥース（ＢＬＵＥＴＯＯＴＨ：登録商標）などの各規格の通信規格に適合する構造に構成しておき、超音波をスマートフォン１３のスピーカー２４から補聴器に放射して、放射された超音波をトリガーにして通信モジュール１４を作動させることができる。ブルートゥース（ＢＬＵＥＴＯＯＴＨ：登録商標）方式の無線通信を確立した状態では、ＮＦＣ方式の無線通信を確立した場合に比べて、より大量のデータをスマートフォン１３から補聴器へ送信できるので、例えば、スマートフォン１３にダウンロードしておいた音楽データを補聴器へ送信してイヤフォン４で聴取することができる。また、スマートフォン１３で受信したテレビの映像をディスプレイ２２で表示しながら、テレビの音声データを補聴器へ送信してイヤフォン４で聴取することができる。
【００３４】
また、上記の実施例では、補聴器本体１に音声用のマイクロフォン２と超音波マイクロフォン１６を個別に設けたが、その必要はなく、可聴域から超音波域の音まで取込むことが可能なマイクロフォンであれば、１個のマイクロフォンのみで音声と超音波を取込むようにしてもよい。通信機としては、スマートフォン１３以外に、携帯電話機や、通信機能を備えたタブレット端末等のパーソナル・データ・アシスタント（ＰＤＡ）であってもよく、要は通信機能と、表示機能と、補聴器管理プログラムを格納し実行できる仕様を備えている携帯機器であればよい。電源用の電池５としては、リチウムイオン電池などの２次電池以外に空気亜鉛電池などの１次電池であってもよい。
【符号の説明】
【００３５】
１  補聴器本体
２  音声用のマイクロフォン
３  増幅部
４  イヤフォン（スピーカー）
５  ２次電池（電池）
９  制御部
１３  スマートフォン（通信機）
１４  通信モジュール
１５  アンテナ
１６  超音波マイクロフォン（マイクロフォン）
１７  超音波検知部
【図１】
2015144337.tif 000003
【図２】
2015144337.tif 000004
【図３】
2015144337.tif 000005